(57)【特許請求の範囲】
【請求項１】
高所作業用安全帯の命綱の先端に備えられ、前記命綱を前記高所作業現場の固定用構造物に係止するためのフックであって、
命綱連結用開口を備えた基端部と、前記基端部からのびる中間部と、前記中間部の先端に接続された逆Ｕ字状の先端部とからなる鉤形状を有するフック本体と、
ベース部分および前記ベース部分からのびる腕部分からなるレバー形状を有し、前記フック本体の内側縁側に配置され、前記ベース部分が第１のピンによって前記フック本体の前記中間部に取り付けられて前記第１のピンのまわりに旋回可能とされたストッパと、を備え、
前記ストッパは、前記腕部分が前記フック本体の前記中間部から前記フック本体の先端までのびる閉位置と、前記腕部分が前記閉位置から内向きに押し込まれて前記フック本体の前記基端部および先端間を開く開位置とをとり、さらに、
レバー形状を有し、前記フック本体の外側縁側に配置され、一端が第２のピンによって前記フック本体の前記中間部に取り付けられて、前記第２のピンのまわりに、前記フック本体から最も遠ざかる第１の位置と、前記フック本体に最も近づく第２の位置との間で旋回可能とされたハンドルを備え、
前記ハンドルの他端側には、前記ハンドルの幅方向にのびる第１の部分と、前記第１の部分の前記第１のピンから遠い方の端に接続し、前記ハンドルの長さ方向に前記第２のピンから遠ざかる向きにのびる第２の部分とからなるガイド溝が形成され、
前記ストッパの前記ベース部分と前記ハンドルが部分的に重なるとともに、前記ストッパの前記ベース部分には、前記ハンドルの前記ガイド溝内に突出するガイドピンが設けられ、
前記ストッパが前記閉位置をとりかつ前記ハンドルが前記第１の位置をとるとき、前記ガイドピンが前記ガイド溝の前記第１の部分内に位置することによって前記ストッパが前記閉位置にロックされ、前記ハンドルが前記第１の位置から前記第２の位置まで旋回せしめられる間に、前記ガイドピンが前記ガイド溝の前記第１の部分から前記第２の部分に進入してロックが解除された後、前記ガイドピンが前記ガイド溝の前記第２の部分に沿って移動して前記ストッパが前記開位置まで旋回せしめられるようになっており、さらに、
前記フック本体の前記基端部の内側縁側において前記ストッパの前記腕部分に隣接して配置された操作部分と、前記操作部分から前記フック本体および前記ストッパの前記ベース部分間にのびる挿入部分とからなり、前記挿入部分の先端側が第３のピンによって前記フック本体の前記中間部に取り付けられて、前記第３のピンのまわりに、前記フック本体から最も遠ざかるロック位置と、前記フック本体に最も近づくロック解除位置との間で旋回可能とされたロックレバーを備え、
前記ロックレバーには、前記ロックレバーの旋回方向にのび、前記第１のピンが挿通された長穴が設けられるとともに、前記ストッパの前記腕部分に係合し得る係合部が設けられ、前記ストッパが前記閉位置をとりかつ前記ロックレバーが前記ロック位置をとるとき、前記係合部が前記腕部分に係合して前記ストッパの前記開位置への旋回が阻止され、前記ロックレバーが前記ロック解除位置をとるとき、前記係合部の前記腕部分との係合が解除されるようになっており、さらに、
前記フック本体および前記ロックレバー間に配置され、前記ロックレバーを前記ロック位置に向けて付勢する第１のバネと、
前記フック本体および前記ハンドル間に配置され、前記ハンドルを前記第１の位置に向けて付勢する第２のバネと、を備えたものであることを特徴とするフック。
【請求項２】
前記ストッパは、対向する一対の第１の壁と、前記一対の第１の壁における前記腕部分を形成する領域の一側縁同士を接続する第２の壁とからなり、前記一対の第１の壁における前記ベース部分を形成する領域間に前記フック本体の前記中間部が嵌め込まれた状態で前記ベース部分を形成する領域が前記第１のピンによって前記フック本体に取り付けられ、
前記ロックレバーは、対向する一対の第３の壁と、前記一対の第３の壁における前記操作部分を形成する領域の一側縁同士を接続する第４の壁とからなり、前記一対の第３の壁における前記挿入部分を形成する領域が関係する前記ストッパの前記第１の壁および前記フック本体間に挿入された状態で前記挿入部分を形成する領域が前記第３のピンによって前記フック本体に取り付けられ、前記一対の第３の壁のそれぞれに前記長穴が設けられ、さらに、前記一対の第３の壁における前記第４の壁側の側縁の前記操作部分から前記挿入部分への移行領域に係合段部が形成され、前記係合部は前記係合段部からなり、前記ストッパが前記閉位置をとりかつ前記ロックレバーが前記ロック位置をとるとき、前記ストッパの前記第２の壁の内面における前記第１のピン側の端が前記係合段部に係合することを特徴とする請求項１に記載のフック。
【請求項３】
前記ハンドルは、対向する一対の側壁と、前記一対の側壁の一側縁同士を接続する接続壁とからなり、前記ハンドルが前記フック本体に外側から嵌め込まれた状態で前記第２のピンによって前記フック本体に取り付けられ、前記ハンドルの前記一対の側壁のそれぞれに前記ガイド溝が設けられ、前記ストッパの前記一対の第１の壁にそれぞれ、関係する前記ガイド溝内に突出する前記ガイドピンが設けられていることを特徴とする請求項１または請求項２に記載のフック。
【発明の詳細な説明】
【技術分野】
【０００１】
本発明は、高所作業現場において使用される高所作業用安全帯、特に、その命綱の先端に備えられ、命綱を高所作業現場の固定用構造物に係止するために使用されるフックに関するものである。
【背景技術】
【０００２】
従来の高所作業用安全帯のフックとしては、例えば、特許文献１、２に記載されたものがある。これらのフックは、いずれも、鉤状のフック本体と、フック本体基部の内側縁側および外側縁側にそれぞれ取り付けられたストッパ（開閉キャップ）およびハンドル（安全装置）を備えている。
【０００３】
この場合、ストッパは、その一端において第１のピンによってフック本体基部に取り付けられて第１のピンのまわりに旋回可能とされ、フック本体基部からフック本体先端までのびてフック開口を閉じる閉位置と、閉位置からフック本体の内側に押し込まれてフック本体基部および先端間を開く（フック開口を開く）開位置とをとり、ハンドルは、その一端において第２のピンによってフック本体中間部に取り付けられ、第２のピンのまわりに、フック本体から最も遠ざかる第１の位置とフック本体に最も近づく第２の位置との間で旋回可能とされ、ハンドルの他端はフック本体基部までのびている。
【０００４】
さらに、特許文献１に記載のフックにおいては、ハンドルの他端側に形成されたガイド溝と、ガイド溝に挿通されかつストッパに固定されたガイドピンとによって、ハンドルおよびストッパが連結されている。ガイド溝は、ハンドルの長手方向にのびる円弧状の第１の部分と、第１の部分の一端からハンドルの幅方向にのびる第２の部分とから構成されている。
【０００５】
そして、ストッパが閉位置をとりかつハンドルが第１の位置をとるとき、ガイドピンがガイド溝の第２の部分に位置し、ストッパが閉位置にロックされるようになっており、ストッパおよびフック本体間にストッパを常時閉位置に向けて付勢する第１のバネが配置され、ハンドルおよびフック本体間にハンドルを常時第１の位置に向けて付勢する第２のバネが配置されている。
【０００６】
一方、特許文献２に記載のフックにおいては、ストッパとハンドルがロック部材を介して連結されている。この場合、ストッパの他端とロック部材の一端とが第３のピンによって旋回可能に連結され、また、ロック部材の他端側には、ロック部材の長手方向にのびる円弧状の第１の部分と、第１の部分の一端からロック部材の幅方向にのびる第２の部分とからなるガイド溝が設けられている。
さらに、ロック部材の他端とハンドルの他端が重ね合わされ、ハンドルに、ロック部材のガイド溝内に突出するガイドピン（第３ピン）が設けられることで、ロック部材とハンドルが連結されている。
【０００７】
そして、ストッパが閉位置をとりかつハンドルが第１の位置をとるとき、ガイドピンがロック部材のガイド溝の第２の部分に位置し、ストッパが閉位置にロックされるようになっており、さらに、第２のピンのまわりにバネが取り付けられ、このバネによって、ストッパが常時閉位置に向けて付勢され、かつ、ロック部材が常時ハンドルを第１の位置に位置させる向きに付勢されている。
【０００８】
これらの従来のフックでは、常時は、ハンドルおよびストッパがそれぞれ第１の位置および閉位置をとり、ストッパは閉位置にロックされてフック開口は閉じている。そして、フックの使用時には、まず、ハンドルとストッパの中間部分とを手で握り、ハンドルおよびストッパをそれぞれ第２の位置側および開位置側に旋回させてロックを解除し、次いで、ハンドルとストッパの中間部分とを手で握った状態でハンドルおよびストッパをそれぞれ第２の位置および開位置まで旋回させて、フック開口を開くようになっている。
【０００９】
しかしながら、この構成においては、図７（Ｂ）に示すように、フック開口２３が開いた状態で、使用者の手指（人差し指、中指等）２４がストッパ２５の中間部分に掛かっており、フックを固定用構造物２６（図７（Ｂ）では、固定用構造物として足場のパイプが描いてある）に係止しまた固定用構造物２６から取り外す際に、使用者の手指２４がフック開口２３の一部を塞いで邪魔になるという問題がある。
【００１０】
この問題は、例えば、フックが固定用構造物としての足場のパイプ専用として製作され、フック開口がパイプ径に合わせた寸法に設計されている場合に特に顕著となっている。
【先行技術文献】
【特許文献】
【００１１】
【特許文献１】実開平５−６２２７０号公報
【特許文献２】特許３２８７９１８号公報
【発明の概要】
【発明が解決しようとする課題】
【００１２】
したがって、本発明の課題は、固定用構造物への係止およびそれからの取り外しが円滑に行えるフックを提供することにある。
【課題を解決するための手段】
【００１３】
上記課題を解決するため、本発明は、高所作業用安全帯の命綱の先端に備えられ、前記命綱を前記高所作業現場の固定用構造物に係止するためのフックであって、命綱連結用開口を備えた基端部と、前記基端部からのびる中間部と、前記中間部の先端に接続された逆Ｕ字状の先端部とからなる鉤形状を有するフック本体と、ベース部分および前記ベース部分からのびる腕部分からなるレバー形状を有し、前記フック本体の内側縁側に配置され、前記ベース部分が第１のピンによって前記フック本体の前記中間部に取り付けられて前記第１のピンのまわりに旋回可能とされたストッパと、を備え、前記ストッパは、前記腕部分が前記フック本体の前記中間部から前記フック本体の先端までのびる閉位置と、前記腕部分が前記閉位置から内向きに押し込まれて前記フック本体の前記基端部および先端間を開く開位置とをとり、さらに、レバー形状を有し、前記フック本体の外側縁側に配置され、一端が第２のピンによって前記フック本体の前記中間部に取り付けられて、前記第２のピンのまわりに、前記フック本体から最も遠ざかる第１の位置と、前記フック本体に最も近づく第２の位置との間で旋回可能とされたハンドルを備え、前記ハンドルの他端側には、前記ハンドルの幅方向にのびる第１の部分と、前記第１の部分の前記第１のピンから遠い方の端に接続し、前記ハンドルの長さ方向に前記第２のピンから遠ざかる向きにのびる第２の部分とからなるガイド溝が形成され、前記ストッパの前記ベース部分と前記ハンドルが部分的に重なるとともに、前記ストッパの前記ベース部分には、前記ハンドルの前記ガイド溝内に突出するガイドピンが設けられ、前記ストッパが前記閉位置をとりかつ前記ハンドルが前記第１の位置をとるとき、前記ガイドピンが前記ガイド溝の前記第１の部分内に位置することによって前記ストッパが前記閉位置にロックされ、前記ハンドルが前記第１の位置から前記第２の位置まで旋回せしめられる間に、前記ガイドピンが前記ガイド溝の前記第１の部分から前記第２の部分に進入してロックが解除された後、前記ガイドピンが前記ガイド溝の前記第２の部分に沿って移動して前記ストッパが前記開位置まで旋回せしめられるようになっており、さらに、前記フック本体の前記基端部の内側縁側において前記ストッパの前記腕部分に隣接して配置された操作部分と、前記操作部分から前記フック本体および前記ストッパの前記ベース部分間にのびる挿入部分とからなり、前記挿入部分の先端側が第３のピンによって前記フック本体の前記中間部に取り付けられて、前記第３のピンのまわりに、前記フック本体から最も遠ざかるロック位置と、前記フック本体に最も近づくロック解除位置との間で旋回可能とされたロックレバーを備え、前記ロックレバーには、前記ロックレバーの旋回方向にのび、前記第１のピンが挿通された長穴が設けられるともに、前記ストッパの前記腕部分に係合し得る係合部が設けられ、前記ストッパが前記閉位置をとりかつ前記ロックレバーが前記ロック位置をとるとき、前記係合部が前記腕部分に係合して前記ストッパの前記開位置への旋回が阻止され、前記ロックレバーが前記ロック解除位置をとるとき、前記係合部の前記腕部分との係合が解除されるようになっており、さらに、前記フック本体および前記ロックレバー間に配置され、前記ロックレバーを前記ロック位置に向けて付勢する第１のバネと、前記フック本体および前記ハンドル間に配置され、前記ハンドルを前記第１の位置に向けて付勢する第２のバネと、を備えたものであることを特徴とするフックを構成したものである。
【００１４】
上記構成において、好ましくは、前記ストッパは、対向する一対の第１の壁と、前記一対の第１の壁における前記腕部分を形成する領域の一側縁同士を接続する第２の壁とからなり、前記一対の第１の壁における前記ベース部分を形成する領域間に前記フック本体の前記中間部が嵌め込まれた状態で前記ベース部分を形成する領域が前記第１のピンによって前記フック本体に取り付けられ、前記ロックレバーは、対向する一対の第３の壁と、前記一対の第３の壁における前記操作部分を形成する領域の一側縁同士を接続する第４の壁とからなり、前記一対の第３の壁における前記挿入部分を形成する領域が関係する前記ストッパの前記第１の壁および前記フック本体間に挿入された状態で前記挿入部分を形成する領域が前記第３のピンによって前記フック本体に取り付けられ、前記一対の第３の壁のそれぞれに前記長穴が設けられ、さらに、前記一対の第３の壁における前記第４の壁側の側縁の前記操作部分から前記挿入部分への移行領域に係合段部が形成され、前記係合部は前記係合段部からなり、前記ストッパが前記閉位置をとりかつ前記ロックレバーが前記ロック位置をとるとき、前記ストッパの前記第２の壁の内面における前記第１のピン側の端が前記係合段部に係合するようになっている。
【００１５】
また好ましくは、前記ハンドルは、対向する一対の側壁と、前記一対の側壁の一側縁同士を接続する接続壁とからなり、前記ハンドルが前記フック本体に外側から嵌め込まれた状態で前記第２のピンによって前記フック本体に取り付けられ、前記ハンドルの前記一対の側壁のそれぞれに前記ガイド溝が設けられ、前記ストッパの前記一対の第１の壁にそれぞれ、関係する前記ガイド溝内に突出する前記ガイドピンが設けられている。
【発明の効果】
【００１６】
本発明によれば、フック本体の内側縁側および外側縁側にそれぞれストッパおよびハンドルが配置され、ストッパが、第１のピンによってフック本体に取り付けられて、フック開口を閉じる閉位置と開く開位置の間で旋回可能とされ、ハンドルが、第２のピンによってフック本体に取り付けられて、フック本体から最も遠ざかる第１の位置とフック本体に最も近づく第２の位置の間で旋回可能とされ、さらに、ハンドルのガイド溝と、ガイド溝内に突出するストッパのガイドピンによって、ハンドルとストッパが連結される。
また、ロックレバーが、フック本体の内側縁側に配置され、第３のピンによってフック本体に取り付けられて、フック本体から最も遠ざかるロック位置とフック本体に最も近づくロック解除位置の間で旋回可能とされ、ロックレバーの長穴に第１のピンが挿通される。
【００１７】
さらに、ロックレバーが第１のバネによってロック位置に向けて付勢されるとともに、ハンドルが第２のバネによって第１の位置に向けて付勢される。それによって、常時は、ストッパが閉位置をとり、かつロックレバーがロック位置をとり、かつハンドルが第１の位置をとる。このとき、ストッパがロックレバーの係合部に係合すると同時に、ガイドピンがガイド溝の第１の部分に位置することによって、ストッパが閉位置に２重にロックされる。
【００１８】
そして、フックの使用時には、ハンドルおよびロックレバーの操作部分が使用者の手で握られ、ロックレバーがロック解除位置まで旋回せしめられてストッパの第１のロックが解除され、さらに、第１のロックが解除された状態で、ハンドルが第２の位置側に旋回せしめられ、ガイドピンがガイド溝の第２の部分に進入してストッパの第２のロックが解除され、続いてガイドピンが当該第２の部分に沿って移動し、それに伴ってストッパが開位置側に旋回し、ハンドルが第２の位置に達したとき、ストッパが開位置に到達してフック開口が開かれる。
【００１９】
こうして、常時はストッパが閉位置に２重にロックされ、ロックレバーによるロックが解除されない限り、ハンドル操作だけでストッパが閉位置から開位置まで旋回せしめられることがない。それによって、固定用構造物に係止されたフックの安全性がより高められる。
【００２０】
加えて、本発明によれば、ロックレバーの操作部分とハンドルを手で握ることによって、ストッパに手指を掛けることなく、ストッパの２重のロックを解除して、ストッパを閉位置から開位置まで旋回させることができ、フックの固定用構造物への係止または固定用構造物からの取り外しの際に、使用者の手指がフック開口の一部を塞いでしまうことがない。それによって、固定用構造物としてのパイプ専用のフックとした場合にも、フックのパイプへの係止およびパイプからの取り外しを円滑に行うことができる。
【図面の簡単な説明】
【００２１】
【図１】本発明の１実施例による高所作業用安全帯のフックの斜視図である。
【図２】図１に示したフックの分解斜視図である。
【図３】図１に示したフックの平面図であり、（Ａ）はストッパがロックレバーおよびハンドルによって閉位置に２重にロックされた状態を示し、（Ｂ）はストッパが閉位置にあってロックレバーによるロックのみが解除された状態を示したものである。
【図４】図１に示したフックの平面図であり、（Ａ）はストッパが閉位置にあってロックレバーおよびハンドルによるストッパの２重のロックが解除された状態を示し、（Ｂ）はストッパが開位置をとったときの状態を示したものである。
【図５】図１に示したフックのストッパおよびロックレバーの部分を拡大した平面図であり、（Ａ）はロックレバーがロック位置にある状態を示し、（Ｂ）はロックレバーがロック解除位置にある状態を示したものである。
【図６】図１に示したフックのストッパおよびロックレバーの部分を拡大した斜視図であり、（Ａ）はロックレバーがロック位置にある状態を示し、（Ｂ）はロックレバーがロック解除位置にある状態を示したものである。
【図７】（Ａ）は図１のフックを手で握ってフック開口を開いた状態を示す図であり、（Ｂ）は従来のフックを手で握ってフック開口を開いた状態を示す図である。
【発明を実施するための形態】
【００２２】
以下、添付図面を参照しつつ、本発明の構成を好ましい実施例に基づいて説明する。
図１は、本発明の１実施例による高所作業用安全帯のフックの斜視図であり、図２は、図１に示したフックの分解斜視図である。図３は、図１のフックの平面図であり、（Ａ）は、ストッパがロックレバーおよびハンドルによって閉位置に２重にロックされた状態を示し、（Ｂ）はストッパが閉位置にあってロックレバーによるロックのみが解除された状態を示したものである。また、図４は、図１のフックの平面図であり、（Ａ）はストッパが閉位置にあってロックレバーおよびハンドルによるストッパの２重のロックが解除された状態を示し、（Ｂ）はストッパが開位置をとったときの状態を示したものである。
【００２３】
図１〜図４を参照して、本発明によれば、命綱連結用開口５を備えた基端部２と、基端部２からのびる中間部３と、中間部３の先端に接続された逆Ｕ字状の先端部４とからなる鉤形状を有するフック本体１が備えられる。フック本体１は、全体が板状に形成されている。
なお、フック本体１の形状はこれ限定されず、フック本体１は、基端部２、中間部３および逆Ｕ字状の先端部４を有してさえいれば、任意の形状であってよい。
【００２４】
また、本発明によれば、フック本体１の内側縁１ｂ側にストッパ６が取り付けられる。
ストッパ６は、対向する一対の第１の壁６ａ、６ｂと、一対の第１の壁６ａ、６ｂの一側縁同士を接続する第２の壁６ｃとから形成され、ベース部分７およびベース部分７からのびる腕部分８からなる断面がコ字状のレバー形状をなしている。
【００２５】
そして、ストッパ６のベース部分７間にフック本体１の中間部３が嵌め込まれた状態で、ベース部分７が第１のピン９によって中間部３の基端部２側に取り付けられ、ストッパ６は、第１のピン９のまわりに、腕部分８がフック本体１の中間部３からフック本体１の先端１ａまでのびてフック開口１ｄを閉じる閉位置（図３（Ａ）〜（Ｂ）、図４（Ａ）参照）と、腕部分８が閉位置から内向きに押し込まれてフック本体１の基端部２および先端１ａ間を開く（フック開口１ｄを開く）開位置（図４（Ｂ）参照）との間で旋回し得る。
この場合、ストッパ６が閉位置をとるとき、ストッパ６の第２の壁６ｃの先端の外面がフック本体１の先端１ａに当接し、ストッパ６の閉位置から外向きの旋回が阻止される。
【００２６】
本発明によれば、さらに、フック本体１の外側縁１ｃ側に、レバー形状を有するハンドル１０が取り付けられる。ハンドル１０は、対向する一対の側壁１０ａ、１０ｂと、一対の側壁１０ａ、１０ｂの一側縁同士を接続する接続壁１０ｃとからなる、断面がコ字状の部材として形成されている。
なお、この実施例では、加工および組み立てを容易にするため、ハンドル１０は接続壁１０ｃの縦軸に関し対称な一対の部材から構成され、これらの一対の部材はネジ１０ｄによって互いに結合されている。
【００２７】
ハンドル１０は、フック本体１に外側から嵌め込まれた状態で、一端において第２のピン１１によってフック本体１の中間部３に取り付けられ、第２のピン１１のまわりに、フック本体１から最も遠ざかる第１の位置（図３（Ａ）〜（Ｂ）参照）と、フック本体１に最も近づく第２の位置（図４（Ｂ）参照）との間で旋回し得る。
【００２８】
ハンドル１０の他端はフック本体１の基端部２までのびており、また、ハンドルの他端側の内面にガイド溝１２が設けられている。
ガイド溝１２は、ハンドル１０の一対の側壁１０ａ、１０ｂのそれぞれの内面に設けられ、ハンドル１０の幅方向にのびる第１の部分１２ａと、第１の部分１２ａの第１のピン９から遠い方の端に接続し、当該遠い方の端から第２のピン１１から遠ざかる向きにハンドル１０の長さ方向にのびる第２の部分１２ｂとからなっている。
ガイド溝１２の第２の部分１２ｂは、好ましくは、第１のピン９側に凹となるように湾曲している。
【００２９】
さらに、ハンドル１０が部分的にストッパ６のベース部分７の上に重なる配置で、ストッパ６の一対の第１の壁６ａ、６ｂにそれぞれ、関係するガイド溝１２内に突出するガイドピン１３が設けられ、それによってハンドル１０とストッパ６が連結される。
【００３０】
こうして、ストッパ６が閉位置をとりかつハンドル１０が第１の位置をとるとき、ガイドピン１３がガイド溝１２の第１の部分１２ａ内に位置することによってストッパ６が閉位置にロックされ、ハンドル１０が第１の位置から第２の位置まで旋回せしめられる間に、ガイドピン１３がガイド溝１２の第１の部分１２ａから第２の部分１２ｂに進入してロックが解除された後、ガイドピン１３がガイド溝１２の第２の部分１２ｂに沿って移動してストッパ６が開位置まで旋回せしめられる。
【００３１】
さらに、本発明によれば、フック本体１の基端部２の内側縁側にロックレバー１４が取り付けられる。ロックレバー１４は、フック本体１の基端部２の内側縁側においてストッパ６の腕部分８に隣接して配置された操作部分１５と、操作部分１５からフック本体１およびストッパ６のベース部分７間にのびる挿入部分１６とを有している。
【００３２】
ロックレバー１４は、対向する一対の第３の壁１４ａ、１４ｂと、一対の第３の壁１４ａ、１４ｂにおける操作部分１５を形成する領域の一側縁同士を接続する第４の壁１４ｃとからなっている。
そして、一対の第３の壁１４ａ、１４ｂの挿入部分１６を形成する領域が関係するストッパ６の第１の壁６ａ、６ｂとフック本体１間に挿入された状態で、当該領域が第３のピン１７によってフック本体１の中間部３に取り付けられ、それによって、ロックレバー１４は、第３のピン１７のまわりに、フック本体１から最も遠ざかるロック位置（図３（Ａ）参照）と、フック本体１に最も近づくロック解除位置（図３（Ｂ）、図４（Ａ）〜（Ｂ）参照）との間で旋回し得るようになっている。
【００３３】
また、一対の第３の壁１４ａ、１４ｂのそれぞれにロックレバー１４の旋回方向にのびる長穴１４ｄが設けられ、長穴１４ｄには第１のピン９が挿通されている。長穴１４ｄは、ロックレバー１４のロック位置およびロック解除位置間での旋回運動を妨げない長さを有している。なお、この実施例では、ロックレバー１４がロック解除位置をとるとき、長穴１４ｄの一方の端に当接するようになっている。
【００３４】
さらに、ロックレバー１４には、ストッパ６が閉位置をとりかつロックレバー１４がロック位置をとるとき、ストッパ６の腕部分８に係合してストッパ６の開位置への旋回を阻止するが、ロックレバー１４がロック解除位置をとるときは、ストッパ６の旋回を許容する係合部が設けられる。
【００３５】
図５は、図１に示したフックのストッパおよびロックレバーの部分の拡大平面図であり、（Ａ）はロックレバーがロック位置にある状態を示し、（Ｂ）はロックレバーがロック解除位置にある状態を示したものである。また、図６は、図１に示したフックのストッパおよびロックレバーの部分の拡大斜視図であり、（Ａ）はロックレバーがロック位置にある状態を示し、（Ｂ）はロックレバーがロック解除位置にある状態を示したものである。
【００３６】
図５および図６を参照して、係合部は、この実施例では、一対の第３の壁１４ａ、１４ｂにおける第４の壁１４ｃ側の側縁の操作部分１５から挿入部分１６への移行領域に設けられた係合段部１８からなっている。
図５（Ａ）および図６（Ａ）に示すように、ストッパ６が閉位置をとりかつロックレバー１４がロック位置をとるとき、ストッパ６の腕部分８の第２の壁６ｃ内面の基端（第１のピン９側の端）が係合段部１８に係合し、ストッパ６の開位置への旋回が阻止される。
一方、図５（Ｂ）および図６（Ｂ）に示すように、ロックレバー１４がロック解除位置をとるときは、ロックレバー１４の係合段部１８とストッパ６との係合が解除され、ストッパ６の開位置への旋回が可能となる。
【００３７】
さらに、本発明によれば、フック本体１およびロックレバー１４の第４の壁１４ｃ内面間に第１のバネ１９が取り付けられ、この第１のバネ１９によって、ロックレバー１４は常時ロック位置に向けて付勢されている。
また、フック本体１およびハンドル１０の第２の壁１０ｃ内面間に第２のバネ２０が取り付けられ、この第２のバネ２０によって、ハンドル１０は常時第１の位置に向けて付勢されている。
【００３８】
本発明のフックにおいては、常時は、ストッパ６が閉位置をとり、かつロックレバー１４がロック位置をとり、かつハンドル１０が第１の位置をとる。このとき、ストッパ６がロックレバー１４の係合段部１８に係合すると同時に、ガイドピン１３がガイド溝１２の第１の部分１２ａに位置することによって、ストッパ６が閉位置に２重にロックされる（図３（Ａ）、図５（Ａ）、図６（Ａ）参照）。
【００３９】
フックの使用時には、ハンドル１０およびロックレバー１４の操作部分１５が使用者の手で握られ、ロックレバー１４がロック解除位置まで旋回せしめられてストッパ６の第１のロックが解除され（図３（Ｂ）、図５（Ｂ）、図６（Ｂ）参照）、さらに、第１のロックが解除された状態で、ハンドル１０が第２の位置側に旋回せしめられ、ガイドピン１３がガイド溝１２の第２の部分１２ｂに進入してストッパ６の第２のロックが解除され（図４（Ａ）参照）、続いてガイドピン１３が当該第２の部分１２ｂに沿って移動し、それに伴ってストッパ６が開位置側に旋回し、ハンドル１０が第２の位置に達したとき、ストッパ６が開位置に到達してフック開口１ｄが開かれる（図４（Ｂ）参照）。
【００４０】
こうして、常時はストッパ６が閉位置に２重にロックされ、ロックレバー１４によるロックが解除されない限り、ハンドル１０の操作だけでストッパ６が閉位置から開位置まで旋回せしめられることがない。それによって、固定用構造物に係止されたフックの安全性がより高められる。
【００４１】
加えて、図７（Ａ）に示すように、ロックレバー１４の操作部分１５とハンドル１０を手２１で握ることによって、ストッパ６に手指を掛けることなく、ストッパ６の２重のロックを解除して、ストッパ６を閉位置から開位置まで旋回させることができ、フックの固定用構造物２２（図７（Ａ）では、固定用構造物として足場のパイプが描いてある）への係止または固定用構造物２２からの取り外しの際に、使用者の手指がフック開口１ｄの一部を塞いでしまうことがない。それによって、固定用構造物としてのパイプ専用のフックとした場合にも、フックのパイプへの係止およびパイプからの取り外しを円滑に行うことができる。
【００４２】
以上、本発明の構成を好ましい１実施例に基づいて説明したが、本発明の構成は上記実施例に限定されるものではなく、特許請求の範囲に記載した構成の範囲内において種々の変形例を案出することができることは言うまでもない。
例えば、上記実施例では、ストッパ、ロックレバーおよびハンドルをいずれも断面がコ字状の部材としてフックを構成したが、ストッパ、ロックレバーおよびハンドルをすべて平坦な板状部材としてフックを構成することもできる。
【符号の説明】
【００４３】
１  フック本体
１ａ  先端
１ｂ  内側縁
１ｃ  外側縁
１ｄ  フック開口
２  基端部
３  中間部
４  先端部
５  命綱連結用開口
６  ストッパ
６ａ、６ｂ  第１の壁
６ｃ  第２の壁
７  ベース部分
８  腕部分
９  第１のピン
１０  ハンドル
１０ａ、１０ｂ  側壁
１０ｃ  接続壁
１０ｄ  ネジ
１１  第２のピン
１２  ガイド溝
１２ａ  第１の部分
１２ｂ  第２の部分
１３  ガイドピン
１４  ロックレバー
１４ａ、１４ｂ  第３の壁
１４ｃ  第４の壁
１４ｄ  長穴
１５  操作部分
１６  挿入部分
１７  第３のピン
１８  係合段部
１９  第１のバネ
２０  第２のバネ
２１  使用者の手
２２  固定用構造物（足場のパイプ）
２３  フック開口
２４  使用者の手指
２５  ストッパ
２６  固定用構造物（足場のパイプ）
【図１】
0006590677.tif 000002
【図２】
0006590677.tif 000003
【図３】
0006590677.tif 000004
【図４】
0006590677.tif 000005
【図５】
0006590677.tif 000006
【図６】
0006590677.tif 000007
【図７】
0006590677.tif 000008